(57)【要約】      （修正有）【課題】手動インストールコストを低減し、ネットワーク展開配備を改善するポート適応の方法を提供する。【解決手段】ＰｏＥデバイスは、ポート適応装置は、電力供給チップおよび被給電チップを含み、ネットワークデバイス上の第1、第2のポートを制御して電力供給チップおよび被給電チップに接続する。第1のポート、第2のポートが、電力供給機器に接続されているかどうかをネットワークデバイスによって探測し、第1のポートまたは第2のポートが電力供給機器に接続されていることが探測された場合に電力供給機器に接続されている第1のポートおよび第2のポートの一方の状態を被給電状態として維持もしくは被給電状態に変更、および他方のポートの状態を給電状態として維持もしくは給電状態に変更し、ポートを電力引き込みポートとしてロックする。【選択図】図３
2019049972.tif 000002
【特許請求の範囲】
【請求項１】
ポート適応装置を備えるネットワークデバイスに適用されるポート適応方法であって、前記ポート適応装置が電力供給チップおよび被給電チップを備え、前記ポート適応装置が前記ネットワークデバイス上の第1のポートおよび第2のポートを制御して前記電力供給チップおよび前記被給電チップに接続するように構成され、前記方法が、
前記第1のポートおよび前記第2のポートが電力供給機器に接続されているかどうかを前記ネットワークデバイスによって探測するステップ、および、
前記第1のポートが前記電力供給機器に接続されていることが探測された場合、前記第1のポートの状態を被給電状態として維持するステップもしくは前記第1のポートの前記状態を前記被給電状態に変更するステップ、および前記第2のポートの状態を給電状態として維持するステップもしくは前記第2のポートの前記状態を前記給電状態に変更するステップ、または、
前記第2のポートが前記電力供給機器に接続されていることが探測された場合、前記第2のポートの前記状態を前記被給電状態として維持するステップもしくは前記第2のポートの前記状態を前記被給電状態に変更するステップ、および前記第1のポートの前記状態を前記給電状態として維持するステップもしくは前記第1のポートの前記状態を前記給電状態に変更するステップ
を含む、方法。
【請求項２】
前記第1のポートが前記電力供給機器に接続されていないことおよび前記第2のポートが前記電力供給機器に接続されていないこと、および前記ネットワークデバイスに電力を供給する電源があることが探測された場合、
前記第1のポートの前記状態を前記給電状態に前記ネットワークデバイスによって変更するステップおよび前記第2のポートの前記状態を前記被給電状態に変更するステップ、または前記第1のポートの前記状態を前記被給電状態に前記ネットワークデバイスによって変更するステップおよび前記第2のポートの前記状態を前記給電状態に変更するステップ
をさらに含む、請求項1に記載の方法。
【請求項３】
前記方法が、
スイッチング期間内に、前記第1のポートが前記電力供給機器に接続されておらずかつ前記第2のポートが前記電力供給機器に接続されていること、および前記ネットワークデバイスに電力を供給する電源があることが探測された場合、
前記スイッチング期間が満了した後、前記第1のポートの前記状態を前記給電状態に前記ネットワークデバイスによって変更するステップおよび前記第2のポートの前記状態を前記被給電状態に変更するステップ、または前記スイッチング期間が満了した後、前記第1のポートの前記状態を前記被給電状態に前記ネットワークデバイスによって変更するステップおよび前記第2のポートの前記状態を前記給電状態に変更するステップ
をさらに含む、請求項1に記載の方法。
【請求項４】
前記第1のポートの前記状態を前記給電状態に変更する前記ステップおよび前記第2のポートの前記状態を前記被給電状態に変更するステップの後、
前記第1のポートが有効な被給電デバイスに接続されているかどうかを前記ネットワークデバイスによって検出するステップ、および前記第2のポートが前記電力供給機器に接続されているかどうかを探測するステップと、
前記第1のポートが前記有効な被給電デバイスに接続されていることが検出された場合、前記第1のポートの前記状態を前記給電状態として維持するステップ、および前記第2のポートの前記状態を前記被給電状態として維持するステップと、
前記第2のポートが前記電力供給機器に接続されていることが探測された場合、前記第1のポートの前記状態を前記給電状態として維持するステップ、および前記第2のポートの前記状態を前記被給電状態として維持するステップと
をさらに含む、請求項2または3に記載の方法。
【請求項５】
前記第1のポートが前記有効な被給電デバイスに接続されていないことが検出されかつ前記第2のポートが前記電力供給機器に接続されていないことが探測された場合、前記第1のポートの前記状態を前記被給電状態に前記ネットワークデバイスによって変更するステップ、および前記第2のポートの前記状態を前記給電状態に変更するステップをさらに含む、請求項4に記載の方法。
【請求項６】
前記スイッチング期間内に、前記第1のポートが前記有効な被給電デバイスに接続されていないことが検出されかつ前記第2のポートが前記電力供給機器に接続されていないことが探測された場合、前記スイッチング期間が満了した後、前記第1のポートの前記状態を前記被給電状態に前記ネットワークデバイスによって変更するステップ、および前記第2のポートの前記状態を前記給電状態に変更するステップをさらに含む、請求項4に記載の方法。
【請求項７】
前記第1のポートの前記状態を前記被給電状態に変更する前記ステップおよび前記第2のポートの前記状態を前記給電状態に変更するステップの後、
前記第1のポートが前記電力供給機器に接続されているかどうかを前記ネットワークデバイスによって探測するステップ、および前記第2のポートが有効な被給電デバイスに接続されているかどうかを検出するステップと、
前記第1のポートが前記電力供給機器に接続されていることが探測された場合、前記第1のポートの前記状態を前記被給電状態として維持するステップ、および前記第2のポートの前記状態を前記給電状態として維持するステップと、
前記第2のポートが前記有効な被給電デバイスに接続されていることが検出された場合、前記第1のポートの前記状態を前記被給電状態として維持するステップ、および前記第2のポートの前記状態を前記給電状態として維持するステップと
をさらに含む、請求項2から6のいずれか一項に記載の方法。
【請求項８】
前記第1のポートが前記電力供給機器に接続されていないことが探測されかつ前記第2のポートが前記有効な被給電デバイスに接続されていないことが検出された場合、前記第1のポートの前記状態を前記給電状態に前記ネットワークデバイスによって変更するステップ、および前記第2のポートの前記状態を前記被給電状態に変更するステップをさらに含む、請求項7に記載の方法。
【請求項９】
ネットワークデバイスに適用されるポート適応装置であって、前記ポート適応装置が電力供給チップ、被給電チップおよび適応モジュールを備え、
前記電力供給チップが前記適応モジュールに接続され、
前記被給電チップが前記適応モジュールに接続され、
前記適応モジュールが前記ネットワークデバイス上の第1のポートおよび第2のポートに接続され、
前記適応モジュールが、前記第1のポートおよび前記第2のポートが電力供給機器に接続されているかどうかを探測すること、および前記第1のポートが前記電力供給機器に接続されていることが探測された場合に前記第1のポートの状態を被給電状態として維持することもしくは前記第1のポートの前記状態を前記被給電状態に変更することおよび前記第2のポートの状態を給電状態として維持することもしくは前記第2のポートの前記状態を前記給電状態に変更すること、または前記第2のポートが前記電力供給機器に接続されていることが探測された場合に前記第2のポートの前記状態を前記被給電状態として維持することもしくは前記第2のポートの前記状態を前記被給電状態に変更することおよび前記第1のポートの前記状態を前記給電状態として維持することもしくは前記第1のポートの前記状態を前記給電状態に変更することを行うように構成される、ポート適応装置。
【請求項１０】
前記適応モジュールが、
前記第1のポートが前記電力供給機器に接続されておらずかつ前記第2のポートが前記電力供給機器に接続されていないこと、および前記ネットワークデバイスに電力を供給する電源があることが探測された場合、前記第1のポートの前記状態を前記給電状態に変更することおよび前記第2のポートの前記状態を前記被給電状態に変更すること、または前記第1のポートの前記状態を前記被給電状態に変更することおよび前記第2のポートの前記状態を前記給電状態に変更することを行うようにさらに構成される、請求項9に記載の装置。
【請求項１１】
前記適応モジュールが、
スイッチング期間内に、前記第1のポートが前記電力供給機器に接続されておらずかつ前記第2のポートが前記電力供給機器に接続されていないこと、および前記ネットワークデバイスに電力を供給する電源があることが探測された場合、前記スイッチング期間が満了した後、前記第1のポートの前記状態を前記給電状態に変更することおよび前記第2のポートの前記状態を前記被給電状態に変更すること、または前記第1のポートの前記状態を前記被給電状態に変更することおよび前記第2のポートの前記状態を前記給電状態に変更することを行うようにさらに構成される、請求項9に記載の装置。
【請求項１２】
前記ネットワークデバイスに電力を供給する前記電源があるとき、前記第1のポートの前記状態が前記給電状態であり、前記第2のポートの前記状態が前記被給電状態であり、
前記電力供給チップが、前記第1のポートが有効な被給電デバイスに接続されているかどうかを検出すること、および前記第1のポートの検出結果を前記適応モジュールにフィードバックすることを行うように構成され、
前記適応モジュールが、前記第2のポートが前記電力供給機器に接続されているかどうかを探測すること、および前記電力供給チップによってフィードバックされた前記第1のポートの前記検出結果を受信することと、
前記検出結果が、前記第1のポートが有効な被給電デバイスに接続されていることである場合、前記第1のポートの前記状態を前記給電状態として維持することおよび前記第2のポートの前記状態を前記被給電状態として維持することと、
前記第2のポートが前記電力供給機器に接続されていることが探測された場合、前記第1のポートの前記状態を前記給電状態として維持することおよび前記第2のポートの前記状態を前記被給電状態として維持することとを行うようにさらに構成される、請求項9から11のいずれか一項に記載の装置。
【請求項１３】
前記ネットワークデバイスに電力を供給する前記電源があるとき、前記第1のポートの前記状態が前記被給電状態であり、前記第2のポートの前記状態が前記給電状態であり、
前記電力供給チップが、前記第2のポートが有効な被給電デバイスに接続されているかどうかを検出すること、および前記第2のポートの検出結果を前記適応モジュールにフィードバックすることを行うように構成され、
前記適応モジュールが、前記第1のポートが電力供給機器に接続されているかどうかを探測することおよび前記電力供給チップによってフィードバックされる前記第2のポートの前記検出結果を受信することと、前記第1のポートが前記電力供給機器に接続されていることが探測された場合に前記第1のポートの前記状態を前記被給電状態として維持することおよび前記第2のポートの前記状態を前記給電状態として維持することと、前記第2のポートが前記有効な被給電デバイスに接続されていることが検出された場合に前記第1のポートの前記状態を前記被給電状態として維持することおよび前記第2のポートの前記状態を前記給電状態として維持することとを行うようにさらに構成される、請求項9から12のいずれか一項に記載の装置。
【請求項１４】
前記適応モジュールが第1の電圧検出器、第2の電圧検出器、スイッチングスイッチ、およびコントローラを備え、
前記第1の電圧検出器が前記第1のポートに接続され、
前記第2の電圧検出器が前記第2のポートに接続され、
前記電力供給チップが前記スイッチングスイッチに接続され、かつ前記被給電チップが前記スイッチングスイッチに接続され、
前記スイッチングスイッチが前記第1のポートに接続され、かつ前記スイッチングスイッチが前記第2のポートに接続され、
前記第1の電圧検出器が、前記第1のポート上に有効な入力電圧があるかどうかを探測すること、前記第1のポートが前記電力供給機器に接続されているかどうかを探測すること、および前記第1のポートの探測結果を前記コントローラにフィードバックすることを行うように構成され、
前記第2の電圧検出器が、前記第2のポート上に有効な入力電圧があるかどうかを探測すること、前記第2のポートが前記電力供給機器に接続されているかどうかを探測すること、および前記第2のポートの探測結果を前記コントローラにフィードバックすることを行うように構成され、
前記コントローラが、前記第1のポートの前記探測結果が前記第1のポートが前記電力供給機器に接続されていることであるかまたは前記第2のポートの前記探測結果が前記第2のポートが前記電力供給機器に接続されていることであるとき、前記電力供給機器に接続されている前記第1のポートおよび前記第2のポートの一方の状態が前記被給電状態でない場合、前記第1のポートの前記状態および前記第2のポートの前記状態を変更するように前記スイッチングスイッチに指示することと、前記電力供給機器に接続されている、前記第1のポートおよび前記第2のポートの一方を前記電力引き込みポートとしてロックすることとを行うように構成され、
前記スイッチングスイッチが、前記第1のポートと前記電力供給チップとを接続することおよび前記第2のポートと前記被給電チップとを接続することか、または前記第1のポートと前記被給電チップとを接続することおよび前記第2のポートと前記電力供給チップとを接続することを行うように構成される、請求項9から13のいずれか一項に記載の装置。
【請求項１５】
前記コントローラが、
前記第1のポート前記探測結果が前記第1のポートが前記電力供給機器に接続されていないことであり、前記第2のポートの前記探測結果が前記第2のポートが前記電力供給機器に接続されていないことであり、かつ前記ネットワークデバイスに電力を供給する前記電源がある場合、
前記第1のポートの前記状態を前記給電状態に変更することおよび前記第2のポートの前記状態を前記被給電状態に変更することを前記スイッチングスイッチに指示するために使用される第1の命令を前記スイッチングスイッチに送信することと、
前記第1のポートの前記状態を前記被給電状態に変更することおよび前記第2のポートの前記状態を前記給電状態に変更することを前記スイッチングスイッチに指示するために使用される第2の命令を前記スイッチングスイッチに送信することと
を行うようにさらに構成される、請求項14に記載の装置。
【請求項１６】
前記ネットワークデバイスに電力を供給する前記電源があるとき、前記第1のポートの前記状態が前記被給電状態であり、前記第2のポートの前記状態が前記給電状態であり、
前記電力供給チップが、前記第1のポートが前記有効な被給電デバイスに接続されているかどうかを検出すること、および前記第1のポートの前記検出結果を前記コントローラにフィードバックすることを行うように構成され、
前記コントローラが、前記第1のポートの前記検出結果が有効である場合に前記第1のポートの前記状態を前記給電状態として維持することおよび前記第2のポートの前記状態を前記被給電状態として維持すること、ならびに前記第2のポートの前記探測結果が前記第2のポートが前記電力供給機器に接続されていることである場合に前記第1のポートの前記状態を前記給電状態として維持することおよび前記第2のポートの前記状態を前記被給電状態として維持すること、または前記第1のポートの前記検出結果が無効でありかつ前記第2のポートの前記探測結果が前記第2のポートが前記電力供給機器に接続されていないことである場合、前記第1のポートの前記状態を前記被給電状態に変更しかつ前記第2のポートの前記状態を前記給電状態に変更するように前記スイッチングスイッチに指示するために前記第2の命令を前記スイッチングスイッチに送信することを行うようにさらに構成される、請求項14または15に記載の装置。
【請求項１７】
前記ネットワークデバイスに電力を供給する前記電源があるとき、前記第1のポートの前記状態が前記被給電状態であり、前記第2のポートの前記状態が前記給電状態であり、
前記電力供給チップが特に、前記第2のポートが前記有効な被給電デバイスに接続されているかどうかを検出すること、および前記第2のポートの前記検出結果を前記コントローラにフィードバックすることを行うように構成され、
前記コントローラが、前記第1のポートの前記探測結果が前記第1のポートが前記電力供給機器に接続されていることである場合に前記第1のポートの前記状態を前記被給電状態として維持することおよび前記第2のポートの前記状態を前記給電状態として維持すること、ならびに前記第2のポートの前記検出結果が有効である場合に前記第1のポートの前記状態を前記被給電状態として維持することおよび前記第2のポートの前記状態を前記給電状態として維持すること、または前記第1のポートの前記探測結果が前記第1のポートが電力供給機器に接続されていないことでありかつ前記第2のポートの前記検出結果が無効であることである場合に前記第1のポートの前記状態を前記給電状態に変更しかつ前記第2のポートの前記状態を前記被給電状態に変更するように前記スイッチングスイッチに指示するために前記第1の命令を前記スイッチングスイッチに送信することを行うようにさらに構成される、請求項14から16のいずれか一項に記載の装置。
【請求項１８】
請求項9から17のいずれか一項に記載の第1のポート、第2のポート、およびポート適応装置を備え、前記ポート適応装置が前記第1のポートおよび前記第2のポートに対応する、ネットワークデバイス。
【請求項１９】
電力供給機器、中間デバイス、および被給電デバイスを備え、前記中間デバイス上の第1のポートが前記電力供給機器に接続され、前記中間デバイス上の第2のポートが前記被給電デバイスに接続され、
前記中間デバイスが、請求項9から17のいずれか一項に記載の前記ポート適応装置を備え、前記ポート適応装置が前記第1のポートおよび前記第2のポートに対応する、電力供給システム。
【請求項２０】
コンピュータプログラムを記憶するように構成され、前記コンピュータプログラムが、請求項1から8のいずれか一項に記載のポート適応方法を実行するために使用される命令を含む、コンピュータ記憶媒体。
【発明の詳細な説明】
【技術分野】
【０００１】
本発明は通信分野に関し、詳細にはポート適応の方法およびデバイスに関する。
【背景技術】
【０００２】
パワーオーバーイーサネット（登録商標）(Power over Ethernet（登録商標）、PoE)は、ツイストペアを使用することによってイーサネット（登録商標）データと電力(power)の両方を伝達するための技術である。電力は、供給される電気(electricity)を指す。電気電子技術者協会(Institute of Electrical and Electronics Engineers、IEEE)PoE規格において定義されるように、PoEデバイスは、電力供給機器(power sourcing equipment、PSE)と被給電デバイス(powered device、PD)とを含む。PSEは、電力を供給するデバイスである。PDは、電力を引き込むデバイスである。
【０００３】
最近では、いくつかのネットワークデバイスは、電力供給のためのPSEと電力を引き込むためのPDの両方として働く。たとえば、分配されたワイヤレスローカルエリアネットワーク(wireless local area network、WLAN)内の中央アクセスポイント(access point、AP)は、スイッチから電力を引き込むPDと、分配されたAPに電力を供給するPSEの両方として働く。しかしながら、中央APのPoEポートが電力供給ポート(電力支給ポートとも呼ばれる)であるかまたは電力引き込みポート(被給電ポートとも呼ばれる)であるかは、PoEポートの外観から区別することはできない。その結果、接続エラーが容易に引き起こされる。
【発明の概要】
【課題を解決するための手段】
【０００４】
本出願は、ポート適応の方法および装置、ならびにシステムを提供する。ネットワークデバイス上のポートは、ピア接続されたデバイスに従って適応的に、電力供給ポートかまたは電力引き込みポートになり得、それにより、デバイスポート設定の順応性が改善され得るばかりでなくデバイス接続エラーも回避され得、したがって手動インストールコストが低減され、ネットワーク展開配備が改善される。
【０００５】
第1の態様によれば、ポート適応方法が提供されて、ポート適応装置を含むネットワークデバイスに適用され、ここでポート適応装置は電力供給チップおよび被給電チップを含み、ポート適応装置は、ネットワークデバイス上の第1のポートおよび第2のポートを制御して電力供給チップおよび被給電チップに接続するように構成される。方法は、
第1のポートおよび第2のポートが電力供給機器に接続されているかどうかを、ネットワークデバイスによって探測するステップと、
第1のポートが電力供給機器に接続されていることが探測された場合に第1のポートの状態を被給電状態として維持するステップもしくは第1のポートの状態を被給電状態に変更するステップ、および第2のポートの状態を給電状態として維持するステップもしくは第2のポートの状態を給電状態に変更するステップ、および第1のポートを電力引き込みポートとしてロックするステップ、あるいは、
第2のポートが電力供給機器に接続されていることが探測された場合、第2のポートの状態を被給電状態として維持するステップもしくは第2のポートの状態を被給電状態に変更するステップ、および第1のポートの状態を給電状態として維持するステップもしくは第1のポートの状態を給電状態に変更するステップ、および第2のポートを電力引き込みポートとしてロックするステップとを含む。
【０００６】
前述のポート適応方法では、ネットワークデバイスは、ネットワークデバイス上の第1のポートおよび第2のポートが電力供給機器に接続されているかどうかを探測し、第1のポートおよび第2のポートの一方が電力供給機器に接続されていることが探測された場合、そのポートを電力引き込みポートとしてロックする。この場合、他方のポートは電力供給ポートとして働く。このようにして、ネットワークデバイス上の第1のポートおよび第2のポートの一方は適応的に電力引き込みポートとして働き、他方のポートは電力供給ポートとして働き、それにより、ネットワークが配備されるとき、電力供給ポートと電力引き込みポートとの間を手動で区別する必要なしに相互接続を成功させることができ、したがって、デバイス相互接続エラーの問題が解決され、ネットワーク配備効率が改善される。
【０００７】
第1の態様に関連して、第1の態様の第1の可能な実装形態では、第1のポートが電力供給機器に接続されていないことおよび第2のポートが電力供給機器に接続されていないこと、ならびにネットワークデバイスに電力を供給する電源があることが探測された場合、ネットワークデバイスは、第1のポートの状態を給電状態に変更しかつ第2のポートの状態を被給電状態に変更するか、またはネットワークデバイスは、第1のポートの状態を被給電状態に変更しかつ第2のポートの状態を給電状態に変更する。
【０００８】
代替的に、ネットワークデバイスがスイッチング期間を設定するとき、スイッチング期間内に、第1のポートが電力供給機器に接続されていないことおよび第2のポートが電力供給機器に接続されていないこと、ならびにネットワークデバイスに電力を供給する電源があることが探測された場合、スイッチング期間が満了した後、ネットワークデバイスは、第1のポートの状態を給電状態に変更しかつ第2のポートの状態を被給電状態に変更するか、またはスイッチング期間が満了した後、ネットワークデバイスは、第1のポートの状態を被給電状態に変更しかつ第2のポートの状態を給電状態に変更する。
【０００９】
このようにして、スイッチング期間を設定することによって、1つの探測もしくは検出の結果が不正確である問題、またはデバイス相互接続の間に時間窓によって生じる頻繁に変化する問題が回避され得る。
【００１０】
第1の態様の第1の可能な実装形態に関連して、第1の態様の第2の可能な実装形態では、第1のポートの状態を給電状態に変更しかつ第2のポートの状態を被給電状態に変更した後、方法は、
第1のポートが有効な被給電デバイスに接続されているかどうかをネットワークデバイスによって検出するステップ、および第2のポートが電力供給機器に接続されているかどうかを探測するステップと、
第1のポートが有効な被給電デバイスに接続されていることが検出された場合に第1のポートの状態を給電状態としておよび第2のポートの状態を被給電状態として維持するステップ、ならびに第1のポートを電力供給ポートとしてロックするステップと、
第2のポートが電力供給機器に接続されていることが探測された場合、第1のポートの状態を給電状態としておよび第2のポートの状態を被給電状態として維持するステップ、ならびに第2のポートを電力引き込みポートとしてロックするステップとをさらに含む。
【００１１】
このようにして、ネットワークがデバイス相互接続のために配備される初期段階では、ポートの状態が変更され、それにより、第1のポートおよび第2のポートのどちらが電力供給機器に接続されているか、および第1のポートおよび第2のポートのうちのどちらが被給電デバイスに接続されているかにかかわらず接続が成功することができ、電力供給ポートと電力引き込みポートとの間を手動で区別する必要はなく、したがってネットワーク配備効率が改善される。
【００１２】
第1の態様の第2の可能な実装形態に関連して、第1の態様の第3の可能な実装形態では、方法は、
第1のポートが有効な被給電デバイスに接続されていないことが検出されかつ第2のポートが有効な電力供給機器に接続されていないことが探測された場合、ネットワークデバイスによって、第1のポートの状態を被給電状態に変更するステップ、および第2のポートの状態を給電状態に変更するステップをさらに含む。
【００１３】
代替的に、ネットワークデバイスがスイッチング期間を設定するとき、スイッチング期間内に、第1のポートが有効な被給電デバイスに接続されていないことが検出されかつ第2のポートが電力供給機器に接続されていないことが探測された場合、スイッチング期間が満了した後、ネットワークデバイスは、第1のポートの状態を被給電状態に変更しかつ第2のポートの状態を給電状態に変更する。
【００１４】
第1の態様の第1から第3までの可能な実装形態のうちの任意の1つに関連して、第1の態様の第4の可能な実装形態では、第1のポートの状態を被給電状態に変更しかつ第2のポートの状態を給電状態に変更した後、方法は、
第1のポートが電力供給機器に接続されているかどうかをネットワークデバイスによって探測するステップ、および第2のポートが有効な被給電デバイスに接続されているかどうかを検出するステップと、
第1のポートが電力供給機器に接続されていることが探測された場合、第1のポートの状態を被給電状態としておよび第2のポートの状態を給電状態として維持するステップ、ならびに第1のポートを電力引き込みポートとしてロックするステップと、
第2のポートが有効な被給電デバイスに接続されていることが検出された場合、第1のポートの状態を被給電状態としておよび第2のポートの状態を給電状態として維持するステップ、ならびに第2のポートを電力供給ポートとしてロックするステップとをさらに含む。
【００１５】
第1の態様の第4の可能な実装形態に関連して、第1の態様の第5の可能な実装形態では、方法は、
第1のポートが電力供給機器に接続されていないことが探測されかつ第2のポートが有効な被給電デバイスに接続されていないことが検出された場合、ネットワークデバイスによって、第1のポートの状態を給電状態に変更するステップ、および第2のポートの状態を被給電状態に変更するステップをさらに含む。
【００１６】
代替的に、ネットワークデバイスがスイッチング期間を設定するとき、スイッチング期間内に、第1のポートが電力供給機器に接続されていないことが探測されかつ第2のポートが有効な被給電デバイスに接続されていないことが検出された場合、スイッチング期間が満了した後、ネットワークデバイスは、第1のポートの状態を給電状態に変更しかつ第2のポートの状態を被給電状態に変更する。
【００１７】
第1の態様または第1の態様の第1から第5までの可能な実装形態のうちの任意の1つに関連して、第1の態様の第6の可能な実装形態では、方法は、
第1のポートが電力供給機器に接続されていないことおよび第2のポートが電力供給機器に接続されていないこと、ならびにネットワークデバイスに電力を供給する電源がないことが探測された場合、ネットワークデバイスによって、第1のポートおよび第2のポートが電力供給機器に接続されているかどうかを探測することを継続するステップをさらに含む。
【００１８】
第1の態様または前述の可能な実装形態のうちの任意の1つに関連して、第1のポートおよび/または第2のポートがロックされた後、ネットワークデバイス内に例外が発生した場合、たとえば、ネットワークデバイスの全システムもしくは一部の構成要素が不良であるかまたはネットワークデバイスに電力を供給する電源があるかどうかを示すステータスが(電力を供給する電源がある状態から電力を供給する電源がない状態に)変化した場合、第1のポートおよび第2のポートはアンロックされる。代替的に、ポートに接続されるデバイスが変化する(たとえば、不良になるかまたは接続を断たれる)場合、第1のポートおよび/または第2のポートがアンロックされる。第1のポートと第2のポートの両方がアンロックされた後、第1の態様および第1の態様の可能な実装形態が再実行される。
【００１９】
このようにして、ネットワークデバイスと相互接続するデバイスが頻繁に変わるネットワークシナリオでは、ポート間を手動で区別する必要はなく、適応的に、第1のポートおよび第2のポートの一方は電力引き込みポートとしておよび他方のポートは電力供給ポートとして働き得、したがってネットワーク維持効率が改善される。
【００２０】
第2の態様によれば、ポート適応装置が提供され、ネットワークデバイスに適用される。ポート適応装置は、電力供給チップと、被給電チップと、適応モジュールとを含み、ここで
電力供給チップは、適応モジュールに接続され、
被給電チップは、適応モジュールに接続され、
適応モジュールは、ネットワークデバイス上の第1のポートおよび第2のポートに接続され、
適応モジュールは、第1のポートおよび第2のポートが電力供給機器に接続されているかどうかを探測すること、および第1のポートが電力供給機器に接続されていることが探測された場合に第1のポートの状態を被給電状態として維持することもしくは第1のポートの状態を被給電状態に変更すること、および第2のポートの状態を給電状態として維持することもしくは第2のポートの状態を給電状態に変更すること、および第1のポートを電力引き込みポートとしてロックすること、または第2のポートが電力供給機器に接続されていることが探測された場合に第2のポートの状態を被給電状態として維持することもしくは第2のポートの状態を被給電状態に変更すること、および第1のポートの状態を給電状態として維持することもしくは第1のポートの状態を給電状態に変更すること、および第2のポートを電力引き込みポートとしてロックすることを行うように構成される。
【００２１】
本出願内で提供されるネットワークデバイスによれば、ネットワークデバイス上の第1のポートおよび第2のポートはポートグループとして使用され、電力供給チップおよび被給電チップはポートグループのために配設され、それにより、接続されたデバイスに従って適応的に、第1のポートおよび第2のポートの一方は電力引き込みポートとして働き、他方のポートは電力供給ポートとして働き得る。このようにして、デバイス相互接続の間、電力供給ポートと電力引き込みポートとの間を手動で区別する必要はなく、したがって作業コストおよび接続エラー率が低減され、ネットワーク配備効率が改善される。
【００２２】
第2の態様に関連して、第2の態様の第1の可能な実装形態では、適応モジュールは、第1のポートが電力供給機器に接続されておらずかつ第2のポートが電力供給機器に接続されていないこと、およびネットワークデバイスに電力を供給する電源があることが探測された場合に第1のポートの状態を給電状態に変更することおよび第2のポートの状態を被給電状態に変更すること、または第1のポートの状態を被給電状態に変更することおよび第2のポートの状態を給電状態に変更することを行うようにさらに構成される。
【００２３】
代替的に、ネットワークデバイスがスイッチング期間を設定するとき、適応モジュールは、スイッチング期間内に、第1のポートが電力供給機器に接続されておらずかつ第2のポートが電力供給機器に接続されていないことおよびネットワークデバイスに電力を供給する電源があることが探測された場合、スイッチング期間が満了した後、第1のポートの状態を給電状態に変更することおよび第2のポートの状態を被給電状態に変更すること、または第1のポートの状態を被給電状態に変更することおよび第2のポートの状態を給電状態に変更することを行うようにさらに構成される。
【００２４】
このようにして、スイッチング期間を設定することによって、1つの探測もしくは検出の結果が不正確である問題、またはデバイス相互接続の間に頻繁な変化によって生じるオーバーヘッドが回避され得る。
【００２５】
第2の態様または第2の態様の第1の可能な実装形態に関連して、第2の態様の第2の可能な実装形態では、ネットワークデバイスに電力を供給する電源があるとき、第1のポートの状態は給電状態であり、第2のポートの状態は被給電状態であり、
電力供給チップは、第1のポートが有効な被給電デバイスに接続されているかどうかを検出することおよび第1のポートの検出結果を適応モジュールにフィードバックすることを行うように構成され、
適応モジュールは、第2のポートが電力供給機器に接続されているかどうかを探測することおよび電力供給チップによってフィードバックされた第1のポートの検出結果を受信することと、
第1のポートの検出結果が有効である場合、第1のポートの状態を給電状態として維持しかつ第2のポートの状態を被給電状態として維持することおよび第1のポートを電力供給ポートとしてロックすることと、
第2のポートが電力供給機器に接続されていることが探測された場合、第1のポートの状態を給電状態として維持すること、および第2のポートの状態を被給電状態として維持すること、および第2のポートを電力引き込みポートとしてロックすることとを行うようにさらに構成される。
【００２６】
第2の態様の第2の可能な実装形態に関連して、第2の態様の第3の可能な実装形態では、適応モジュールは、第1のポートが有効な被給電デバイスに接続されていないことが検出されかつ第2のポートが電力供給機器に接続されていないことが探測された場合、第1のポートの状態を被給電状態に変更することと、第2のポートの状態を給電状態に変更することとを行うようにさらに構成される。
【００２７】
代替的に、ネットワークデバイスがスイッチング期間を設定するとき、適応モジュールは、スイッチング期間内に、第1のポートが電力供給機器に接続されておらずかつ第2のポートが電力供給機器に接続されていないことが探測された場合、スイッチング期間が満了した後、第1のポートの状態を被給電状態に変更することと、第2のポートの状態を給電状態に変更することとを行うようにさらに構成される。
【００２８】
第2の態様および第2の態様の第1から第3までの可能な実装形態のうちの任意の1つに関連して、第2の態様の第4の可能な実装形態では、ネットワークデバイスに電力を供給する電源があるとき、第1のポートの状態は被給電状態であり、第2のポートの状態は給電状態であり、
電力供給チップは、第2のポートが有効な被給電デバイスに接続されているかどうかを検出することと、第2のポートの検出結果を適応モジュールにフィードバックすることとを行うように構成され、
適応モジュールは、第1のポートが電力供給機器に接続されているかどうかを探測することおよび電力供給チップによってフィードバックされる第2のポートの検出結果を受信することと、第1のポートが電力供給機器に接続されていることが探測された場合に第1のポートの状態を被給電状態として維持することおよび第2のポートの状態を給電状態として維持すること、および第1のポートを電力引き込みポートとしてロックすることと、第2のポートが有効な被給電デバイスに接続されていることが検出された場合に第1のポートの状態を被給電状態として維持することおよび第2のポートの状態を給電状態として維持すること、および第2のポートを電力供給ポートとしてロックすることとを行うようにさらに構成される。
【００２９】
第2の態様の第4の可能な実装形態に関連して、第2の態様の第5の可能な実装形態では、適応モジュールは、第1のポートが電力供給機器に接続されていないことが探測されかつ第2のポートが有効な被給電デバイスに接続されていないことが検出された場合、第1のポートの状態を給電状態に変更することと、第2のポートの状態を被給電状態に変更することとを行うようにさらに構成される。
【００３０】
代替的に、ネットワークデバイスがスイッチング期間を設定するとき、適応モジュールは、スイッチング期間内に、第1のポートが電力供給機器に接続されていないことが探測されかつ第2のポートが有効な被給電デバイスに接続されていないことが検出された場合、スイッチング期間が満了した後、第1のポートの状態を給電状態に変更することと、第2のポートの状態を被給電状態に変更することとを行うようにさらに構成される。
【００３１】
第2の態様および第2の態様の第1から第5までの可能な実装形態に関連して、第2の態様の第6の可能な実装形態では、適応モジュールは、第1のポートが電力供給機器に接続されていないことおよび第2のポートが電力供給機器に接続されていないこと、およびネットワークデバイスに電力を供給する電源がないことが探測された場合、第1のポートおよび第2のポートが電力供給機器に接続されているかどうかを探測することを継続するようにさらに構成される。
【００３２】
第2の態様および第2の態様の第1から第6までの可能な実装形態に関連して、第2の態様の第7の可能な実装形態では、適応モジュールは、第1の電圧検出器と、第2の電圧検出器と、スイッチングスイッチと、コントローラとを含み、ここで
第1の電圧検出器は第1のポートに接続され、
第2の電圧検出器は第2のポートに接続され、
電力供給チップはスイッチングスイッチに接続され、かつ被給電チップはスイッチングスイッチに接続され、
スイッチングスイッチは第1のポートに接続され、かつスイッチングスイッチは第2のポートに接続され、
第1の電圧検出器は、第1のポート上に有効な入力電圧があるかどうかを探測することと、第1のポートが電力供給機器に接続されているかどうかを探測することと、第1のポートの探測結果をコントローラにフィードバックすることとを行うように構成され、
第2の電圧検出器は、第2のポート上に有効な入力電圧があるかどうかを探測することと、第2のポートが電力供給機器に接続されているかどうかを探測することと、第2のポートの探測結果をコントローラにフィードバックすることとを行うように構成され、
コントローラは、第1のポートの探測結果が第1のポートが電力供給機器に接続されていることであるかまたは第2のポートの探測結果が第2のポートが電力供給機器に接続されていることであるとき、電力供給機器に接続されている第1のポートおよび第2のポートの一方の状態が被給電状態でない場合、第1のポートの状態および第2のポートの状態を変更するようにスイッチングスイッチに指示することと、電力供給機器に接続されている第1のポートおよび第2のポートの一方を電力引き込みポートとしてロックすることとを行うように構成され、
スイッチングスイッチは、第1のポートと電力供給チップとを接続することおよび第2のポートと被給電チップとを接続すること、または第1のポートと被給電チップとを接続することおよび第2のポートと電力供給チップとを接続することを行うように構成される。
【００３３】
第2の態様の第7の可能な実装形態に関連して、第2の態様の第8の可能な実装形態では、コントローラは、第1のポートの探測結果が第1のポートが電力供給機器に接続されていないことであり、第2のポートの探測結果が第2のポートが電力供給機器に接続されていないことであり、かつネットワークデバイスに電力を供給する電源がある場合、
第1のポートの状態を給電状態に変更しかつ第2のポートの状態を被給電状態に変更するようにスイッチングスイッチに指示するために使用される第1の命令をスイッチングスイッチに送信することと、
第1のポートの状態を被給電状態に変更しかつ第2のポートの状態を給電状態に変更するようにスイッチングスイッチに指示するために使用される第2の命令をスイッチングスイッチに送信することとを行うようにさらに構成される。
【００３４】
第2の態様の第7または第8の可能な実装形態に関連して、第2の態様の第9の可能な実装形態では、ネットワークデバイスに電力を供給する電源があるとき、第1のポートの状態は給電状態であり、第2のポートの状態は被給電状態であり、
電力供給チップは、第1のポートが有効な被給電デバイスに接続されているかどうかを検出すること、および第1のポートの検出結果をコントローラにフィードバックすることと、
コントローラは、第1のポートの検出結果が有効である場合に第1のポートの状態を給電状態として維持することおよび第2のポートの状態を被給電状態として維持することおよび第1のポートを電力供給ポートとしてロックすること、第2のポートの探測結果が第2のポートが電力供給機器に接続されていることである場合に第1のポートの状態を給電状態として維持することおよび第2のポートの状態を被給電状態として維持することおよび第2のポートを電力引き込みポートとしてロックすること、または第1のポートの検出結果が第2のポートは無効でありかつ第2のポートの探測結果が第2のポートが電力供給機器に接続されていないことである場合に第1のポートの状態を被給電状態に変更しかつ第2のポートの状態を給電状態に変更するようにスイッチングスイッチに指示するために第2の命令をスイッチングスイッチに送信することを行うようにさらに構成される。
【００３５】
第2の態様の第7から第9までの可能な実装形態のうちの任意の1つに関連して、第2の態様の第10の可能な実装形態では、ネットワークデバイスに電力を供給する電源があるとき、第1のポートの状態は被給電状態でありかつ第2のポートの状態は給電状態であり、
電力供給チップは特に、第2のポートが有効な被給電デバイスに接続されているかどうかを検出することと、第2のポートの検出結果をコントローラにフィードバックすることとを行うように構成され、
コントローラは、第1のポートの探測結果が第1のポートが電力供給機器に接続されていることである場合に第1のポートの状態を被給電状態として維持することおよび第2のポートの状態を給電状態として維持することおよび第1のポートを電力引き込みポートとしてロックすること、第2のポートの検出結果が有効である場合に第1のポートを被給電状態として維持することおよび第2のポートの状態を給電状態として維持することおよび第2のポートを電力供給ポートとしてロックすること、または第1のポートの探測結果が第1のポートが電力供給機器に接続されておらずかつ第2のポートの検出結果が無効である場合に第1のポートの状態を給電状態に変更しかつ第2のポートの状態を被給電状態に変更するようにスイッチングスイッチに指示するために第1の命令をスイッチングスイッチに送信することを行うようにさらに構成される。
【００３６】
第2の態様または前述の可能な実装形態のうちの任意の1つに関連して、第1のポートおよび/または第2のポートがロックされた後、ネットワークデバイス内に例外が発生した場合、たとえばネットワークデバイスの全システムもしくは一部の構成要素が不良であるかまたはネットワークデバイスに電力を供給する電源があるかどうかを示すステータスが(電力を供給する電源がある状態から電力を供給する電源がない状態に)変化した場合、第1のポートおよび第2のポートはアンロックされる。代替的に、ポートに接続されるデバイスが変化する(たとえば、不良になるかまたは接続を断たれる)場合、第1のポートおよび/または第2のポートがアンロックされる。第1のポートと第2のポートの両方がアンロックされた後、適応モジュールが第1のポートおよび/または第2のポートを再探測し得る。
【００３７】
このようにして、ネットワークデバイスと相互接続するデバイスが頻繁に変わるネットワークシナリオでは、ポート間を手動で区別する必要はなく、適応的に、第1のポートおよび第2のポートの一方は電力引き込みポートとして働き、他方のポートは電力供給ポートとして働き、したがってネットワーク維持効率が改善される。
【００３８】
第3の態様によれば、第2の態様または第2の態様の可能な実装形態のうちの任意の1つに従って第1のポートと、第2のポートと、ポート適応装置とを含むネットワークデバイスが提供され、ここでポート適応装置は第1のポートおよび第2のポートに対応する。
【００３９】
随意に、ネットワークデバイスは第3のポートをさらに含み、ここで第3のポートは電力供給チップに接続され、電力供給ポートである。
【００４０】
随意に、ネットワークデバイスは第4のポートをさらに含み、ここで第4のポートは被給電チップに接続され、電力引き込みポートである。
【００４１】
随意に、ネットワークデバイスは、プロセッサとメモリとをさらに含む。
【００４２】
第4の態様によれば、電力供給機器と、中間デバイスと、被給電デバイスとを含む電力供給システムが提供され、ここで中間デバイス上の第1のポートは電力供給機器に接続され、中間デバイス上の第2のポートは被給電デバイスに接続され、
中間デバイスは、第2の態様または第2の態様の可能な実装形態のうちの任意の1つによるポート適応装置を含み、ポート適応装置は第1のポートおよび第2のポートに対応する。
【００４３】
随意に、電力供給機器は、第2の態様または第2の態様の可能な実装形態のうちの任意の1つによるポート適応装置を含む。
【００４４】
随意に、被給電デバイスは、第2の態様または第2の態様の可能な実装形態のうちの任意の1つによるポート適応装置を含む。
【００４５】
第5の態様によれば、コンピュータ記憶媒体が提供され、コンピュータプログラムを記憶するために使用され、ここでコンピュータプログラムは第1の態様においてポート適応方法を実行するために使用される命令を含む。
【図面の簡単な説明】
【００４６】
【図１】本発明の一実施形態によるPoEデバイスの概略構造図である。
【図２】本発明の一実施形態による別のPoEデバイスの概略構造図である。
【図３】本発明の一実施形態によるPoEデバイス内のポート適応装置の概略回路図である。
【図４】本発明の一実施形態による分配されたWLANの概略トポロジー図である。
【図５Ａ】本発明の一実施形態によるポート適応方法の流れ図である。
【図５Ｂ】本発明の一実施形態によるポート適応方法の流れ図である。
【発明を実施するための形態】
【００４７】
本出願で提供される技術的解決策は、添付の図面および具体的な実装形態を参照しながら以下で説明される。
【００４８】
図1を参照すると、図1は、本発明の一実施形態によるPoEデバイスの概略構造図である。PoEデバイス10は、PoEポート101Aと、PoEポート101Bと、適応モジュール102と、PSEチップ101-1と、PDチップ101-2とを含む。PSEチップ101-1およびPDチップ101-2は、適応モジュール102を使用することによってPoEポート101AおよびPoEポート101Bに別々に接続される。
【００４９】
PoEポート101AおよびPoEポート101Bの一方が電力供給ポートである場合、他方のポートは電力引き込みポートである。たとえば、PoEポート101Aが電力供給ポートである場合、PoEポート101Bは電力引き込みポートである。反対に、PoEポート101Aが電力引き込みポートである場合、PoEポート101Bは電力供給ポートである。
【００５０】
PoEポート101AおよびPoEポート101Bはポートグループ、たとえばPoEポートグループ101として見なされ得る。ポートグループ内の2つのポートの一方が電力供給ポートである場合、他方のポートは電力引き込みポートであり得る。それゆえ、ポートグループ内の2つのポートの一方だけが電力供給ポートであり得、他方のポートは電力引き込みポートである。ポートグループ内の2つのポートが同時に電力供給ポートであり得ず、同時に電力引き込みポートであり得ない。
【００５１】
PSEチップ101-1はPoEデバイスの電力管理システム(本図に示さず)に接続され、電力管理システムから電力を引き出し得る。PDチップ101-2はPoEデバイスの電力管理システムに接続され、電力管理システムに電力を供給し得る。
【００５２】
適応モジュールは、PoEポート101AおよびPoEポート101Bが電力供給機器に接続されているかどうかを探測するように構成され、かつPoEポート101Aを制御してPSEチップ101-1に接続することおよびPoEポート101Bを制御してPDチップ101-2に接続すること、またはPoEポート101Bを制御してPSEチップ101-1に接続することおよびPoEポート101Aを制御してPDチップ101-2に接続することを行うようにさらに構成され、それにより一方のポートは電力引き込みポートであり、他方のポートは電力供給ポートである。
【００５３】
随意に、最初の瞬間において、PoEポート101AとPoEポート101Bの両方が非接続状態にある場合、PoEデバイス10に電力を供給する電源があるかどうかにかかわらず、適応モジュール102は、PoEポート101AおよびPoEポート101Bが電力供給機器に接続されているかどうかを探測する。
【００５４】
随意に、最初の瞬間において、PoEポート101AおよびPoEポート101Bの一方がPSE状態にあり、他方のポートがPD状態にあり、かつPoEデバイス10に電力を供給する電源がない場合、適応モジュール102は、PoEポート101AおよびPoEポート101Bが電力供給機器に接続されているかどうかを探測する。
【００５５】
随意に、最初の瞬間において、PoEポート101AおよびPoEポート101Bの一方がPSE状態にあり、他方のポートがPD状態にあり、かつPoEデバイス10に電力を供給する電源がある場合、適応モジュール102はPD状態にあるポートを探測し、PSEチップ101-1はPSE状態にあるポートを検出する。たとえば、最初の瞬間において、PoEポート101AがPSE状態にありかつPoEポート101BがPD状態にある場合、適応モジュール102はPoEポート101Bを探測し、PSEチップ101-1はPoEポート101Aを検出する。
【００５６】
ポートのステータスは、非接続状態と、PSE状態と、PD状態とを含む。非接続状態は、ポートがPSEチップに接続されず、PDチップにも接続されないことを示す。給電(powering)状態またはPSE状態とも呼ばれる第1の状態は、ポートがPSEチップ(給電チップ)に接続されていることを示す。被給電(powered)状態またはPD状態とも呼ばれる第2の状態は、ポートがPDチップ(被給電チップ)に接続されていることを示す。
【００５７】
本発明のこの実施形態では、電力を供給する電源は、電力を供給するイーサネット（登録商標）または電力を供給するローカル電源(たとえば、アダプタ電源)としてもよい。
【００５８】
適応モジュール102は、PoEポート101AおよびPoEポート101Bが電力供給機器に接続されているかどうかを探測することと、PoEポート101AまたはPoEポート101Bが電力供給機器に接続されていることが探測された場合にPoEポート101Aの状態およびPoEポート101Bの状態を維持または変更することとを行うように構成される。具体的には、PoEポート101AとPoEポート101Bの両方が当初非接続状態にあり、かつ一方のポートが電力供給機器に接続されていることが探測された場合、電力供給機器に接続されているポートがPD状態に変更され、他方のポートの状態がPSE状態に変更される。当初PD状態にあるポートが電力供給機器に接続されていることが探測された場合、2つのポートの状態は変更されないままである。特定の実装形態では、適応モジュール102は、2つのポートの状態が変更されないままであるとき、いかなる動作も実行されない。当初PSE状態にあるポートが電力供給機器に接続されていることが探測された場合、2つのポートの状態は変更される。次いで、適応モジュール102は、電力供給機器に接続されているPoEポート101AおよびPoEポート101Bの一方を電力引き込みポートとしてロックし、たとえばロックタグを設定し(PoEポート101Aの状態およびPoEポート101Bの状態をもはや変更しない)、かつ他方のポートを電力供給ポートとして直接ロックしてもよく、または給電状態を維持してもよく、次いで、他方のポートが有効な(valid)PDに接続されていることが検出された後、他方のポートを電力供給ポートとしてロックする。
【００５９】
特定の実装形態では、ポートグループ(PoEポート101AおよびPoEポート101B)内のいずれかのポートがロックされる場合、ポートグループがロックされ、ポートの状態はもはや変更され得ない。ポートの状態は、ポートグループ(PoEポート101AおよびPoEポート101B)内の2つのポートがいずれもロックされていないときだけ変更され得る。
【００６０】
特定の実装形態では、頻繁に変更することを回避するために、適応モジュール102はスイッチング期間を設定してもよく、すなわち、PoEポート101Aの状態変更およびPoEポート101Bの状態変更に対する制限時間を設定してもよい。制限時間内では、たとえスイッチング条件が満足されても変更はすぐには実行されず、制限時間が満了した後に実行される。スイッチング期間内では、PoEポート101Aの状態およびPoEポート101Bの状態は維持され得る。スイッチング期間が満了した後、スイッチング条件が満足される場合、PoEポート101AおよびPoEポート101Bの各々は、1つの状態から別の状態に変更され得る。たとえば、PoEポート101AとPoEポート101Bの両方が非接続にある状況は、PoEポート101AがPSE状態にありかつPoEポート101BがPD状態にある(かまたはPoEポート101AがPD状態にありかつPoEポート101BがPSE状態にある)状況に変更される。別の例では、PoEポート101AがPSE状態にありかつPoEポート101BがPD状態にある状況は、PoEポート101AがPD状態にありかつPoEポート101BがPSE状態にある状況に変更される。
【００６１】
スイッチング期間は、PoEデバイス10に電力を供給する電源があるときだけ働くことが理解されよう。
【００６２】
PoEデバイス10に電力を供給する電源がなく、かつPoEポート101AおよびPoEポート101Bがいずれも電力供給機器に接続されていない場合、適応モジュール102はポートの状態を変更できず、PoEポート101AおよびPoEポート101Bを継続的に探測し得るのみであり、PoEポート101AおよびPoEポート101Bの一方が電力供給機器に接続されていることが探測された後にのみ変更を実行してもよく、たとえばPoEポート101AおよびPoEポート101Bの一方を非接続状態からPD状態に変更し、かつ他方のポートを非接続状態からPSE状態に変更してもよく(この場合、適応モジュール102は変更を実行しないこと、たとえば、PoEポート101Aが電力供給機器に接続されていること、PoEポート101Aの状態がPD状態であること、およびPoEポート101Bの状態がPSE状態であることが探測された場合、PoEポート101Aの状態をPD状態としておよびPoEポート101Bの状態をPSE状態として維持してもよいことが理解されよう)、次いで、電力供給機器に接続されているポートを電力引き込みポートとして決定(ロック)してもよい。それに応じて、他方のポートは、電力供給ポートとしてのみ働き得る。この場合、他方のポートは電力供給ポートとして直接ロックされてもよく、または他方のポートが有効なPDに接続されていることが検出された後に電力供給ポートとしてロックされてもよい。
【００６３】
適応モジュール102は、PoEポート101AとPoEポート101Bの両方が(電力を供給する電源があるかどうかにかかわらず)非接続状態にあるときまたはPoEデバイス10に電力を供給する電源がないときにPoEポート101AおよびPoEポート101B探測を探測する。
【００６４】
適応モジュール102は、スイッチング期間内に複数回、PoEポート101AおよびPoEポート101Bを探測し得る。
【００６５】
PoEポート101Aが電力供給機器に接続されていることを適応モジュール102が探測する場合、適応モジュール102は、PoEポート101Aの状態およびPoEポート101Bの状態を維持するかまたは変更し、PoEポート101Aを電力引き込みポートとしてロックする。具体的には、当初、PoEポート101Aの状態がPD状態でありかつPoEポート101Bの状態がPSE状態である場合、適応モジュール102は、PoEポート101Aの状態およびPoEポート101Bの状態を維持する。当初、PoEポート101Aの状態がPD状態でない(たとえば、非接続状態またはPSE状態である)場合、適応モジュール102はPoEポート101Aを制御してPDチップ101-2に接続し、PoEポート101Bを制御してPSEチップ101-1に接続する(すなわち、PoEポート101Aの状態をPD状態に変更し、PoEポート101Bの状態をPSE状態に変更する)。適応モジュール102は、PoEポート101Aを電力引き込みポートとしてロックするためにロックタグを設定し得る。それに応じて、PoEポート101Bは、電力供給ポートとしてのみ働き得る。PoEポート101Bは、PoEポート101Aが電力引き込みポートとしてロックされるとき、電力供給ポートとして直接ロックされ得る。代替的に、PoEポート101Bは、PoEポート101Bが有効なPDに接続されていることが検出された後、電力供給ポートとしてロックされ得る。
【００６６】
PoEポート101Bが電力供給機器に接続されていることを適応モジュール102が探測した場合、適応モジュール102は、PoEポート101Aの状態およびPoEポート101Bの状態を維持するかまたは変更し、PoEポート101Bを電力引き込みポートとしてロックする。具体的には、当初、PoEポート101Bの状態がPD状態でありかつPoEポート101AがPSE状態である場合、適応モジュール102は、PoEポート101Aの状態およびPoEポート101Bの状態を維持する。当初、PoEポート101Bの状態がPD状態でない(たとえば、非接続状態またはPSE状態である)場合、適応モジュール102はPoEポート101BをPDチップ101-2に接続するように変更し、PoEポート101AをPSEチップ101-1に接続するように変更する(すなわち、PoEポート101Bの状態をPD状態に変更し、PoEポート101Aの状態をPSE状態に変更する)。適応モジュール102は、PoEポート101Bを電力引き込みポートとしてロックするためにロックタグを設定し得る。それに応じて、PoEポート101Aは、電力供給ポートとしてのみ働き得る。PoEポート101Aは、PoEポート101Bが電力引き込みポートとしてロックされるとき、電力供給ポートとして直接ロックされ得る。代替的に、PoEポート101Aは、PoEポート101Aが有効なPDに接続されていることが検出された後、電力供給ポートとしてロックされ得る。
【００６７】
PoEポート101AおよびPoEポート101Bが電力供給機器に接続されていることが同時に探測された場合、プリセットルールに従って(たとえば、ランダムにまたはポート番号順に)、PoEポート101Aが電力供給機器に接続されていることが探測されたか、またはPoEポート101Bが電力供給機器に接続されていることが探測されたものと見なされ得る。後続の処理プロセスは、上記で説明した処理プロセスと同じである。
【００６８】
適応モジュール102が、PoEポート101Aが電力供給機器に接続されていることを探測せずかつPoEポート101Bが電力供給機器に接続されていることも探測せず(PoEポート101Aの探測結果とPoEポート101Bの探測結果の両方が無効であり)、かつPoEデバイス10に電力を供給する電源がない場合、適応モジュール102は、PoEポート101AおよびPoEポート101Bが電力供給機器に接続されているかどうかを探測することを継続する。
【００６９】
適応モジュール102が、PoEポート101Aが電力供給機器に接続されていることを探測せずかつPoEポート101Bが電力供給機器に接続されていることも探測せず、かつPoEデバイス10に電力を供給する電源がある場合(この場合、PoEポート101AとPoEポート101Bの両方は、最初の瞬間において非接続状態にある)、適応モジュール102は、PoEポート101Aの状態およびPoEポート101Bの状態を変更し得る。スイッチング期間が設定される場合、適応モジュール102は、スイッチング期間が満了した後、PoEポート101Aの状態およびPoEポート101Bの状態を変更し得る。
【００７０】
具体的には、適応モジュール102は、PSEチップ101-1に接続するためにPoEポート101AおよびPoEポート101Bのいずれかを選択する。この場合、他方のポートはPDチップ101-2に接続される。すなわち、PoEポート101AおよびPoEポート101Bの一方が非接続状態からPSE状態に変更され、他方のポートが非接続状態からPD状態に変更される。たとえば、適応モジュール102は、PSEチップ101-1に接続するためにPoEポート101Aを選択し、PDチップ101-2に接続するためにPoEポート101Bを選択し、すなわち、PoEポート101Aの状態をPSE状態に変更し、PoEポート101Bの状態をPD状態に変更する。次いで、PSEチップ101-1はPoEポート101Aを検出し、すなわち、PoEポート101Aが有効なPDに接続されているかどうかを検出する。適応モジュール102は、PoEポート101Bが電力供給機器に接続されているかどうかを探測する。
【００７１】
PSEチップ101-1は、PoEポート101Aのインピーダンスを測定するために検出電圧をPoEポート101Aに送り、検出結果を取得するためにPoEポート101Aが有効なPDに接続されているかどうかを、測定されたインピーダンスに従って決定し得る。検出結果は、有効または無効であり得る。検出結果が有効である場合、それはPoEポート101Aは有効なPDに接続されていることを示す。検出結果が無効である場合、それはPoEポート101Aは有効なPDまたは任意のデバイスに接続されていないことを示す。PSEチップ101-1は、検出結果を適応モジュール102にフィードバックし得る。
【００７２】
適応モジュール102は、PoEポート101Aが有効なPDに接続されていることをPSEチップ101-1が検出した(PoEポート101Aの検出結果は有効である)場合かまたはPoEポート101Bが電力供給機器に接続されていることを適応モジュール102が探測した(PoEポート101Bの探査結果は有効である)場合に、結果が有効であるポートをロックし、すなわち3つの可能な場合が存在する:第1の可能な場合では検出結果だけが有効(PoEポート101Aが有効なPDに接続されていることが検出される)であり、第2の可能な場合では探測結果だけが有効(PoEポート101Bが電力供給機器に接続されていることが探測される)であり、第3の可能な場合では検出結果が有効でありかつ探測結果が有効である。具体的には、適応モジュール102はPoEポート101Aを電力供給ポートとしてロックし、かつ/またはPoEポート101Bを電力引き込みポートとしてロックする(すなわち、PoEポート101Aを電力供給ポートとしてロックするかもしくはPoEポート101Bを電力引き込みポートとしてロックするか、またはPoEポート101Aを電力供給ポートとしてロックしかつPoEポート101Bを電力引き込みポートとしてロックする)。随意に、スイッチング期間が設定される場合、適応モジュール102はスイッチング期間の計時を停止する。
【００７３】
適応モジュール102は、PoEポート101Aが有効なPDに接続されていることをPSEチップ101-1が検出しなかった(PoEポート101Aの検出結果は無効である)場合およびPoEポート101Bが電力供給機器に接続されていることを適応モジュール102が探測しなかった(PoEポート101Bの探測結果は無効である)場合に、PoEポート101Aの状態およびPoEポート101Bの状態を変更する。スイッチング期間が設定される場合、スイッチング期間内にPoEポート101Aの各検出結果が無効でありかつPoEポート101Bの各探測結果が無効であるとき、適応モジュール102は、スイッチング期間が満了した後、PoEポート101Aの状態およびPoEポート101Bの状態を変更し得る。具体的には、適応モジュール102は、PDチップ101-2に接続するためにPoEポート101Aを変更し、PSEチップ101-1に接続するためにPoEポート101Bを変更する(すなわち、PoEポート101Aの状態をPD状態に変更し、PoEポート101Bの状態をPSE状態に変更する)。
【００７４】
次いで、PSEチップ101-1は、PoEポート101Bが有効なPDに接続されているかどうかを検出し、適応モジュール102は、PoEポート101Aが電力供給機器に接続されているかどうかを探測する。探測結果および検出結果に従って、適応モジュール102はポートをロックするか、またはポートの状態を変更する。具体的なプロセスは上記で説明したプロセスと同じであり、詳細は、本明細書で再び説明されない。
【００７５】
本発明のこの実施形態では、スイッチング期間は、一探測時間の持続時間および一検出時間の持続時間に基づいて決定され得る。たとえば、スイッチング期間は、検出持続時間と探測持続時間との間のより長い持続時間の整数の倍数に設定される。これは、本発明において限定されるものではない。
【００７６】
スイッチング期間内で、1つのポートが電力供給機器に接続されていることが探測された後、適応モジュール102は、ポートがロックされたときまたは後にポートの探測を停止するのを待つ代わりに、ポートの探測を停止してもよい。同様に、ポートが有効なPDに接続されていることを検出した後、PSEチップ101-1はポートの検出を停止してもよい。
【００７７】
PoEデバイス10に電力を供給する電源があるとき、最初の瞬間において、PoEポート101AおよびPoEポート101Bの一方がPSE状態にありかつ他方のポートがPD状態にある場合、適応モジュール102はPD状態にあるポートを探測し、PSEチップ101-1はPSE状態にあるポートを検出する。具体的な処理プロセスは上記で説明した処理プロセスと同じであり、詳細は、本明細書で再び説明されない。
【００７８】
ポートグループ(PoEポート101AおよびPoEポート101B)がロックされた後、例外がPoEデバイス10内に発生した場合、たとえばPSEチップ101-1またはPSEチップ101-2が不良である、PoEデバイス10の全システムが不良である、またはPoEデバイス10に電力を供給する電源があるかどうかを示すステータスが(電力を供給する電源がある状態から電力を供給する電源がない状態に)変化する場合、ポートグループはアンロックされ得る(PoEポート101AがアンロックされかつPoEポート101Bがアンロックされる)。加えて、ポートグループがロックされた後、ポートに接続されるデバイスが変化する(たとえば、不良になるかまたは接続を断たれる)場合、ポートがアンロックされ得る。ポートグループは、PoEポート101AとPoEポート101Bの両方がアンロックされた後にのみ、アンロックされる。ポートグループがアンロックされた後、本発明のこの実施形態で説明するポート適応プロセスが、再び実行され得る。
【００７９】
本発明のこの実施形態では、PoEポート101AおよびPoEポート101Bの一方が電力引き込みポートとしてロックされた後、他方のポートは電力供給ポートとしてのみ働き得る。同様に、一方のポートが電力供給ポートとしてロックされた後、他方のポートは電力引き込みポートとしてのみ働き得る。ポートグループは、ポートグループ(PoEポート101AおよびPoEポート101B)内のいずれかのポートがロックされた後、ロックされる。ポートグループは、ポートグループ内の2つのポートの両方がアンロックされた後にだけ、アンロックされる。
【００８０】
本発明のこの実施形態内のPoEデバイス10は、スイッチ、ルータまたはAPなど、PoEをサポートするイーサネット（登録商標）デバイスであり得る。PSEチップはPoEプロトコル内で要求されるPSE機能を満足するように設計されたチップであり、通常、検出(detection)および分類(classification)などの機能を提供し得る。
【００８１】
PoEポート101AおよびPoEポート101Bに加えて、PoEデバイス10は別のPoEポートを含み得る。別のPoEポートは、PSEチップに直接接続される電力供給ポートであってもよく、またはPDチップに直接接続される電力引き込みポートであってもよい。確実に、PoEデバイス10は、上記で説明した別のポートグループをさらに含み得る。これは、本発明において限定されるものではない。
【００８２】
たとえば、図2に示すように、PoEデバイス10は、PoEポート103Aと、PoEポート103Bと、適応モジュール104と、PSEチップ103-1と、PDチップ103-2とをさらに含む。PSEチップ103-1およびPDチップ103-2はPoEポート103AおよびPoEポート103Bに対応し、適応モジュール104を使用することによってPoEポート103AおよびPoEポート103Bに別々に接続される。適応モジュール102および104は独立に配設されてもよく、または一緒に統合されてもよい。これは、本発明において限定されるものではない。
【００８３】
さらに、PoEデバイス10は、中央処理装置(central processing unit、CPU)、ネットワークプロセッサ(network processor、略してNP)、またCPUとNPとの組合せなどのプロセッサ(図示せず)を含む。プロセッサは、PoEデバイス10と別のデバイスとの間の通信を実行するように構成される。たとえば、PoEデバイス10は、相互接続された電力供給機器または相互接続された被給電デバイスを用いてデータリンク層供給電力交渉、データ送信などを実行する。
【００８４】
随意に、PoEデバイス10は、データおよび/またはプログラムを記憶するように構成されたメモリ(図示せず)をさらに含む。メモリは、ランダムアクセスメモリ(random-access memory、RAM)などの揮発性メモリ(volatile memory)を含み得る。代替的に、メモリは、フラッシュメモリ(flash memory)、ハードディスク(hard disk drive、HDD)、またはソリッドステートドライブ(solid-state drive、SSD)などの不揮発性メモリ(non-volatile memory)を含み得る。代替的に、メモリは、前述のタイプのメモリの組合せを含み得る。
【００８５】
本発明のこの実施形態では、電力供給機器と被給電デバイスの両方として働き得るPoEデバイスに対して、PSEチップおよびPDチップが、PoEデバイス上の2つのPoEポート(1つのポートグループ)に対して配設される。ピアエンドにおいて接続されるデバイスに従って、2つのPoEポートの一方は適応的に電力供給ポートになり、他方のポートは電力引き込みポートになり得る。このようにして、ネットワークがデバイスの相互接続のために配備されるとき、1つのポートが電力供給ポートであるかまたは電力引き込みポートであるかを区別する必要なく接続が成功することができ、それにより従来技術の問題である接続エラーが解決される。
【００８６】
本発明のこの実施形態内で提供されるPoEデバイスは、PoEデバイス内にありかつ本発明に関連する構成要素、モジュールなどの接続関係および機能を説明する一例にすぎない。PoEデバイスが機能およびサービス要件に従って別のデバイスをさらに含み得ることは、当業者には理解されよう。たとえば、PoEデバイスがワイヤレスAPである場合、PoEデバイスは、WLANチップ、アンテナなどをさらに含み得る。これは、本発明において限定されるものではない。
【００８７】
図3を参照すると、図3は、本発明の一実施形態によるPoEデバイス10内のポート適応装置の概略回路図である。図3に示すように、ポート適応装置100は、PSEチップ101-1と、PDチップ101-2と、電圧検出器211Aと、電圧検出器211Bと、スイッチングスイッチ212と、コントローラ213とを含む。
【００８８】
ポート適応装置100は、PoEデバイス10上のPoEポート101AおよびPoEポート101Bに対応する。PoEポート101AおよびPoEポート101Bは、ポートグループとして見なされ得る。ポート適応装置100は、PoEポート101AおよびPoEポート101Bの一方が適応的に電力供給ポートになり、他方のポートが電力引き込みポートになることを可能にするように構成される。
【００８９】
PSEチップ101-1は電力システムに接続され、ピアエンドにおける被給電デバイスに電力を供給し得る(たとえば、48Vの電圧を供給し得る)。PDチップ101-2は、PoEデバイス10の電力システムに電力を供給するために、ピアエンドにおける電力供給機器から電力を引き出し得る。
【００９０】
随意に、電圧検出器211A、電圧検出器211B、スイッチングスイッチ212およびコントローラ213は、図1に示す適応モジュール102の実装形態と見なされる。
【００９１】
スイッチングスイッチ212は2つの双極双投(double pole, double throw)スイッチとして理解されてもよく、金属酸化物半導体電界効果トランジスタ(Metal-Oxide-Semiconductor Field-Effect Transistor、MOSFET)、継電器、光遮断器、トライオードなどによって実装されてもよい。双極双投スイッチはまた、一様な規定に従って制御される2つの単極双投スイッチ(single pole, double throw)、すなわち2つのリンクした単極双投スイッチとして理解され得る。図3は、スイッチングスイッチ212の単なる概略図である。
【００９２】
1A-(1)が1-(1)に接続されるとき、リンクを通じて1A-(2)は1-(2)に接続され、それによりPoEポート101AはPSEチップ101-1に接続される。それに応じて、1B-(1)が2-(1)に接続されるとき、リンクを通じて1B-(2)は2-(2)に接続され、それによりPoEポート101BはPDチップ101-2に接続される。
【００９３】
1B-(1)が1-(1)に接続されるとき、リンクを通じて1B-(2)は1-(2)に接続され、それによりPoEポート101BはPSEチップ101-1に接続される。それに応じて、1A-(1)が2-(1)に接続されるとき、リンクを通じて1A-(2)は2-(2)に接続され、それによりPoEポート101BはPSEチップ101-2に接続される。
【００９４】
図3に示すスイッチングスイッチ212は、非接続状態にある。この場合、PoEポート101Aは、PSEチップ101-1にもPDチップ101-2にも接続されず、PoEポート101Bは、PSEチップ101-1にもPDチップ101-2にも接続されない。すなわち、PoEポート101AとPoEポート101Bの両方は、非接続状態にある。
【００９５】
コントローラ213は、スイッチングスイッチ212を制御するように構成される。具体的には、コントローラ213は、PoEポート101Aの状態およびPoEポート101Bの状態を変更するようにスイッチングスイッチ212に指示するために、第1の命令または第2の命令をスイッチングスイッチ212に送信するように構成される。
【００９６】
コントローラ213の第1の指示に従って、スイッチングスイッチ212は、PoEポート101AとPSEチップ101-1とを接続し(すなわち、スイッチングスイッチ212が1A-(1)と1-(1)とを接続するように指示されるとき、リンクを通じて1A-(2)は1-(2)に接続される)、かつPoEポート101BとPDチップ101-2とを接続し(すなわち、スイッチングスイッチ212が1B-(1)と2-(1)とを接続するように指示されるとき、リンクを通じて1B-(2)は2-(2)に接続される)、それによりPoEポート101Aは給電状態にあり、PoEポート101Bは被給電状態にある。代替的に、第2の指示に従って、スイッチングスイッチ212は、PoEポート101AとPSEチップ101-2とを接続し(すなわち、スイッチングスイッチ212が1A-(1)と2-(2)とを接続するように指示されるとき、リンクを通じて1A-(2)は2-(2)に接続される)、PoEポート101BとPSEチップ101-1とを接続し(すなわち、スイッチングスイッチ212が1B-(1)と1-(1)とを接続するように指示されるとき、リンクを通じて1B-(2)は1-(2)に接続される)、それによりPoEポート101Aは被給電状態にあり、PoEポート101Bは給電状態にある。
【００９７】
電圧検出器211Aは、PoEポート101A上に有効な入力電圧があるかどうかを探測することと、PoEポート101Aが電力供給機器に接続されているかどうかを探測することと、PoEポート101Aの探測結果をコントローラにフィードバックすることとを行うように構成される。電圧検出器211Bは、PoEポート101B上に有効な入力電圧があるかどうかを探測することと、PoEポート101Bが電力供給機器に接続されているかどうかを探測することと、PoEポート101Bの探測結果をコントローラにフィードバックすることとを行うように構成される。
【００９８】
有効な入力電圧はPoE規格を満足するように指定された電圧、たとえば2.8ボルトから57ボルトまでであり、検出段階の検出電圧、分類段階の分類電圧、電力起動段階の電圧、または電力供給段階の供給電圧を含む。
【００９９】
探測結果は有効または無効であり得る。探測結果が有効である、すなわちポート上に有効な入力電圧がある場合、それは、ポートが電力供給機器に接続されていることを示す。探測結果が無効である、すなわちポート上に有効な入力電圧がない場合、それは、ポートが電力供給機器に接続されていないことを示す。
【０１００】
PoEポート101A上に有効な入力電圧があることを探測した後、電圧検出器211AはPoEポート101Aの探測結果(有効)をコントローラ213にフィードバックし、電圧検出器211Aは探測の実行を停止し得る。
【０１０１】
PoEポート101B上に有効な入力電圧があることを探測した後、電圧検出器211BはPoEポート101Bの探測結果(有効)をコントローラ213にフィードバックし、電圧検出器211Bは探測の実行を停止し得る。
【０１０２】
PoEデバイス10に電力を供給する電源があるとき、電圧検出器は、探測が実行された後に毎回、探測結果をコントローラ213にフィードバックしてもよく、または探測結果が有効であるときだけ、探測結果をコントローラ213にフィードバックしてもよい。コントローラ213は、ポートの探測結果を記録してもよく、たとえば探測結果をポートに対応するレジスタに記録してもよい。
【０１０３】
PSEチップ101-1は、PSEチップ101-1に接続されているポートが有効なPDに接続されているかどうかを検出するように構成される。検出結果は、有効または無効であり得る。検出結果が有効である場合、それはポートが有効なPDに接続されていることを示す。検出結果が無効である場合、それはポートが有効なPDまたは任意のデバイスに接続されていないことを示す。PSEチップ101-1は、PoEデバイス10に電力を供給する電源があるときだけ働き得ることを理解されたい。PoEデバイス10に電力を供給する電源がない場合、PSEチップ101-1は働かない。
【０１０４】
コントローラ213は特に、PoEポート101Aの探測結果がPoEポート101Aが電力供給機器に接続されていることであるかまたはPoEポート101Bの探測結果がPoEポート101Bが電力供給機器に接続されていることであるとき、電力供給機器に接続されているPoEポート101AおよびPoEポート101Bのうちの1つのポートの状態が被給電状態でない場合、PoEポート101Aの状態およびPoEポート101Bの状態を変更するようにスイッチングスイッチ212に指示することと、次いで電力供給機器に電力引き込みポートとして接続されているPoEポート101AおよびPoEポート101Bのうちのそのポートをロックすることとを行うように構成される。それに応じて、他方のポートは、電力供給ポートとしてのみ働き得る。この場合、他方のポートは電力供給ポートとして直接ロックされてもよく、または他方のポートが有効なPDに接続されていることが検出された後に電力供給ポートとしてロックされてもよい。たとえば、PoEポート101Aが電力供給機器に接続されている(すなわち、PoEポート101Aの探測結果が有効である)ことが探測される。PoEポート101Aの状態が被給電状態でない(が非接続状態またはPSE状態である)場合、コントローラ213は、PoEポート101Aの状態およびPoEポート101Bの状態を変更するようにスイッチングスイッチ212に指示する(すなわち、PoEポート101AとPDチップとを接続しかつPoEポート101BとPSEチップ101-1とを接続するようにスイッチングスイッチ212に指示する)ために第2の命令をスイッチングスイッチ212に送信し、次いでPoEポート101Aを電力引き込みポートとしてロックし、それによりPoEポート101AはPDチップ101-2に接続され、PoEポート101BはPSEチップ101-1に接続される。PoEポート101Aの状態が被給電状態である(それに応じて、PoEポート101Bの状態がPSE状態である)場合、コントローラ213はもはや、PoEポート101Aの状態およびPoEポート101Bの状態を変更するようにスイッチングスイッチ212に指示する必要はなく、PoEポート101Aを電力引き込みポートとして直接ロックし得る。PoEポート101Bは、PoEポート101Aが電力引き込みポートとしてロックされるとき、電力供給ポートとして直接ロックされ得る。代替的に、PoEポート101Bは、PoEポート101Bが有効なPDに接続されていることが検出された後、電力供給ポートとしてロックされ得る。
【０１０５】
コントローラは特に、PoEポート101Aの探測結果がPoEポート101Aが電力供給機器に接続されていないことであり、PoEポート101Bの探測結果がPoEポート101Bが電力供給機器に接続されていないことであり、かつPoEデバイス10に電力を供給する電源がある場合、PoEポート101Aの状態を給電状態に変更することおよびPoEポート101Bの状態を被給電状態に変更することを行うようにスイッチングスイッチ212に指示するために第1の命令をスイッチングスイッチ212に送信すること、またはPoEポート101Aを被給電状態に変更することおよびPoEポート101Bの状態を給電状態に変更することを行うようにスイッチングスイッチ212指示するために第2の命令をスイッチングスイッチ212に送信することを行うようにさらに構成される。
【０１０６】
PoEデバイス10に電力を供給する電源があり、PoEポート101Aの状態が給電状態であり、かつPoEポート101Bの状態が被給電状態であるとき、PSEチップ101-1は特に、PoEポート101Aが有効な被給電デバイスに接続されているかどうかを検出することと、PoEポート101Aの検出結果をコントローラ213にフィードバックすることとを行うように構成される。コントローラ213は、PoEポート101Aの検出結果が有効であるか、またはPoEポート101Bの探測結果がPoEポート101Bが電力供給機器に接続されている(有効)ことである(PoEポート101Aの検出結果が有効であるか、PoEポート101Bの探測結果が有効であるか、またはPoEポート101Aの検出結果とPoEポート101Bの探測結果の両方が有効である)場合、PoEポート101Aを電力供給ポートとしてロックすること、かつ/またはPoEポート101Bを電力引き込みポートとしてロックすること(すなわち、PoEポート101Aを電力供給ポートとしてロックするかもしくはPoEポート101Bを電力引き込みポートとしてロックすること、またはPoEポート101Aを電力供給ポートとしてロックしかつPoEポート101Bを電力引き込みポートとしてロックすること)を行うようにさらに構成される。コントローラ213は特に、PoEポート101Aの検出結果が無効でありかつPoEポート101Bの探測結果がPoEポート101Bが電力供給機器に接続されていない(無効)ことである場合、PoEポート101Aの状態を被給電状態に変更しかつPoEポート101Aの状態を給電状態に変更するようにスイッチングスイッチ212に指示するために第2の命令をスイッチングスイッチ212に送信するようにさらに構成される。
【０１０７】
PoEデバイス10に電力を供給する電源があり、PoEポート101Aの状態が被給電状態であり、かつPoEポート101Bの状態が給電状態であるとき、PSEチップ101-1は特に、PoEポート101Bが有効な被給電デバイスに接続されているかどうかを検出することと、PoEポート101Bの検出結果をコントローラ213にフィードバックすることとを行うように構成される。コントローラ213は特に、PoEポート101Aの探測結果がPoEポート101Aが電力供給機器に接続されている(有効)ことであるか、またはPoEポート101Bの検出結果が有効である場合、PoEポート101Aを電力引き込みポートとしてロックすることおよび/またはPoEポート101Bを電力供給機器としてロックすること、あるいはPoEポート101Aの探測結果が無効でありかつPoEポート101Bの検出結果が無効である場合、PoEポート101Aの状態を給電状態に変更することおよびPoEポート101Bの状態を被給電状態に変更することを行うようにスイッチングスイッチ212に指示するために第1の命令をスイッチングスイッチ212に送信することを行うようにさらに構成される。
【０１０８】
コントローラ213は、ポートグループをアンロックするようにさらに構成される。ポートグループがアンロックされた後、ポートは、非接続状態、PSE状態、またはPD状態にあり得る。
【０１０９】
ポートグループをロックした後、コントローラ213は、例外がPoEデバイス10内に発生した場合、たとえばPSEチップ101-1またはPDチップ101-2が不良である、PoEデバイス10の全システムが不良である、またはPoEデバイス10に電力を供給する電源があるかどうかを示すステータスが(電力を供給する電源がある状態から電力を供給する電源がない状態に)変化する場合、ポートグループをアンロックし得る。加えて、ポートグループがロックされた後、ポートに接続されるデバイスが変化する(たとえば、不良になるかまたは接続を断たれる)場合、ポートがアンロックされ得る。ポートグループは、ポートグループ内の2つのポートの両方がアンロックされた後にだけ、アンロックされる。ポートグループがアンロックされた後、本発明のこの実施形態で説明するポート適応プロセスが、再び実行され得る。
【０１１０】
PoEポート101Aに対応するロックタグがPoEポート101Aのレジスタ内に設定されてもよく、PoEポート101Bに対応するロックタグがPoEポート101Bのレジスタ内に設定されてもよい。代替的に、PoEポート101Aに対応するロックタグおよびPoEポート101Bに対応するロックタグは、コントローラ213のレジスタ内に別々に設定されてもよい。代替的に、PoEポート101Aに対応するロックステータスおよびPoEポート101Bに対応するロックステータスは、別々に設定されてメモリ内に記憶されてもよく、PoEポート101Aに対応するロックタグおよびPoEポート101Bに対応するロックタグとして個々に使用される。代替的に、ロックタグはスイッチングスイッチ212内に設定されてもよく、コントローラ213によって動作される。コントローラ213は、PoEポート101AおよびPoEポート101Bをロックまたはアンロックするために、それぞれPoEポート101AのロックタグおよびPoEポート101Bのロックタグとして2ビットを使用し得る。たとえば、ビットが1に設定された場合、それはポートがロックされることを示し、またはビットが0に設定された場合、それはポートがロックされないことを示す。ポートグループがロックされるとき、ポートの状態は変更され得ず、それゆえスイッチングスイッチ212はスイッチングを実行し得ない。ポートグループがアンロックされた後、スイッチングスイッチ212は、ポートの状態を変更するためにスイッチングを実行し得る。具体的には、複数の異なる実装形態が存在し得る。これは、本発明において限定されるものではない。
【０１１１】
随意に、コントローラ213はスイッチング期間を設定し、PoEデバイス10に電力を供給する電源があるとき、PoEポート101Aの状態およびPoEポート101Bの状態を周期的に変更するように構成される。コントローラ213は、スイッチング期間による計時を実行する。スイッチング期間内では、PoEポート101Aの状態およびPoEポート101Bの状態が維持され、それにより電圧検出器は探測を実行し得、PSEチップは検出を実行し得る。スイッチング期間が満了した後、コントローラ213は、PoEポート101AおよびPoEポート101Bの各々を一方の状態から別の状態に変更するようにスイッチングスイッチ212を制御(命令をスイッチングスイッチ212に送信)し得る。
【０１１２】
本発明のこの実施形態では、ポート適応装置は、PoEデバイス上の2つのPoEポート(1つのポートグループ)に対して配設される。ポート適応装置は、相互接続されたデバイスに従って、2つのPoEポートの一方が適応的に電力供給ポートとして働き、他方のポートが電力引き込みポートとして働き、それにより電力供給ポートと電力引き込みポートとの間を手動で区別する必要はなく、従来技術の問題である接続エラーはそれに応じて解決される。
【０１１３】
本発明の一実施形態は、電力供給機器、中間デバイス、および被給電デバイスを含む電力供給システムをさらに提供する。中間デバイスは、図2に示すPoEデバイス10である。中間デバイス上の第1のポートは電力供給機器に接続され、中間デバイス上の第2のポートは被給電デバイスに接続される。中間デバイスは図3に示すポート適応装置を含み、ポート適応装置は第1のポートおよび第2のポートに接続される(対応する)。電力供給機器は、中間デバイスに電力を供給するように構成される。被給電デバイスは、中間デバイスから電力を引き出すように構成される。
【０１１４】
中間デバイスは、中間デバイス上の第3のポートおよび第4のポートに接続される(対応する)別のポート適応装置をさらに含み得る。
【０１１５】
図4は、本発明の一実施形態による分配されたWLANを示す。分配されたWLANは、前述の電力供給システムの特定の実装形態として理解され得る。分配されたWLANでは、本発明のこの実施形態内で提供されるPoEデバイス10は、中央AP40として使用される。中央AP40はアップリンクにおいてスイッチ41に接続され、ダウンリンクにおいて分配されたAP42に接続される。スイッチ41は電力供給機器であり、中央AP40に電力を供給し得る。分配されたAP42は被給電デバイスであり、中央AP40から電力を引き出し得る。
【０１１６】
PoEデバイス10上のPoEポート401およびPoEポート402は、第1のポート適応装置410に接続される。第1のポート適応装置410の構造については、図3を参照されたい。図4は一例として使用されるにすぎない。具体的には、PoEポート401およびPoEポート402に対応して、PSEチップおよびPDチップが、第1のポート適応装置410内に配設される。PoEポート401と相互接続するデバイスおよびPoEポート402と相互接続するデバイスに従って、第1のポート適応装置410は、PoEポート401およびPoEポート402の一方が電力供給ポートとして適応的に働くことを可能にし、かつ他方のポートが電力引き込みポートとして働くことを可能にする。
【０１１７】
PoEポート401およびPoEポート402は、ポートグループとして見なされ得る。
【０１１８】
図4に示すように、PoEポート401はスイッチ41に接続され、PoEポート402は分配されたAP42に接続される。中央AP40は、本発明の一実施形態内で提供されるポート適応方法(図5Aおよび図5Bに示す)を実行し、それによりPoEポートは、適応的に電力供給ポートまたは電力引き込みポートになる。このようにして、中央APは、スイッチから電力を引き出すPDと分配されたAPに電力を供給するPSEの両方として働く。
【０１１９】
図4では、スイッチ41が中央AP40に接続されるPSEポートは電力供給ポートであり、PSEチップに直接接続されるポートを表す。分配されたAP42が中央AP40に接続されるPDポートは電力引き込みポートであり、PDチップに直接接続されるポートを表す。特定の実装形態では、スイッチ41は、図3に示す適応的PoEポートおよびポート適応装置をさらに含み得る。分配されたAP42は、図3に示す適応的PoEポートおよびポート適応装置をさらに含み得る。中央AP40は、PSEチップに直接接続される電力供給ポートとPDチップに直接接続される電力引き込みポートとをさらに含み得る。
【０１２０】
図5Aおよび図5Bを参照すると、本発明の一実施形態で提供されるポート適応方法は、次のステップを含む。
【０１２１】
ステップ501:PoEデバイス10は、PoEデバイス10上の第1のPoEポートおよび第2のPoEポートが電力供給機器に接続されているかどうかを探測する。
【０１２２】
第1のPoEポートおよび第2のPoEポートは、PoEデバイス10の同じポート適応装置に接続される。第1のPoEポートおよび第2のPoEポートは、ポートグループとして構成され得る。
【０１２３】
第1の場合、第1のPoEポートと第2のPoEポートの両方は非接続状態にあり、すなわち第1のPoEポートも第2のPoEポートも、PSEチップまたはPDチップに接続されていない。PoEデバイス10に電力を供給する電源は、あってもよくまたはなくてもよい。この場合、第1のPoEポートと第2のPoEポートの両方が非接続状態にあるので、PoEデバイス10に電力を供給する電源があるかどうかにかかわらず、PoEデバイス10は、第1のPoEポートおよび第2のPoEポートが電力供給機器に接続されているかどうかを同期的に探測する。
【０１２４】
たとえば、第1のPoEポートと第2のPoEポートの両方が、PoEデバイス10の納入において初期設定によって非接続状態にある場合、PoEデバイス10は最初の瞬間において第1の場合にある。
【０１２５】
別の例では、第1のPoEポートおよび第2のPoEポートが、PoEデバイス10が不良になった後に非接続状態に戻る場合、PoEデバイス10は、第1のPoEポートおよび第2のPoEポートが電力供給機器に接続されているかどうかを同期的に探測するためにステップ501を実行する。
【０１２６】
第2の場合、第1のPoEポートおよび第2のPoEポートはPSEチップとPDチップとに別々に接続され、PoEデバイス10に電力を供給する電源はない。この場合、PoEデバイス10に電力を供給する電源はないので、PoEデバイス10は、第1のPoEポートおよび第2のPoEポートが電力供給機器に接続されているかどうかを同期的に探測する。
【０１２７】
たとえば、第1のPoEポートおよび第2のPoEポートは、PoEデバイス10の納入においてPSEチップとPDチップとに別々に接続されている。PoEデバイス10がちょうど配備されたとき、PoEデバイス10に電力を供給する電源はない。この場合、PoEデバイス10は、第1のPoEポートおよび第2のPoEポートが電力供給機器に接続されているかどうかを同期的に探測するために、ステップ501を実行する。
【０１２８】
別の例では、以前にPoEデバイス10に電力を供給する電源が存在し、第1のPoEポートおよび第2のPoEポートはPSEチップとPDチップとに別々に接続されている。しかしながら、電源は、その後PoEデバイス10に電力を供給しない(おそらくはアダプタ電源が電力を供給できないか、または以前に接続された電力供給機器が電力を供給できないからである)。この場合、PoEデバイス10は、第1のPoEポートおよび第2のPoEポートが電力供給機器に接続されているかどうかを同期的に探測するために、ステップ501を実行する。
【０１２９】
第1のPoEポートおよび第2のPoEポートがPSEチップとPDチップとに別々に接続されおり、かつPoEデバイス10に電力を供給する電源がある場合、ステップ504または507が直接実行されることを理解されたい。
【０１３０】
具体的には、PoEデバイス10は、第1のPoEポート上に有効な入力電圧があるかどうかを探測する。有効な入力電圧がある場合、第1のPoEポートは電力供給機器に接続されているものと見なされる。同様に、PoEデバイス10は、第2のPoEポート上に有効な入力電圧があるかどうかを探測する。有効な入力電圧がある場合、第2のPoEポートは電力供給機器に接続されているものと見なされる。
【０１３１】
PoEデバイス10は、第1のPoEポートまたは第2のPoEポート上に有効な入力電圧があることを探測する前に、探測を複数回実行する場合がある。
【０１３２】
たとえば、図4では、中央AP40はPoEデバイス10であり、PoEポート401は第1のPoEポートであり、PoEポート402は第2のPoEポートである。ネットワークがちょうど配備される最初の瞬間において、中央AP40は、第1のPoEポート401および第2のPoEポート402が電力供給機器に接続されているかどうかを同期的に探測する。
【０１３３】
PoEポート401および/またはPoEポート402が電力供給機器に接続されている(すなわち、第1のPoEポートおよび/または第2のPoEポートが電力供給機器に接続されていることが探測される)場合、ステップ502が継続して実行される。PoEポート401もPoEポート402も電力供給機器に接続されていない(すなわち、第1のPoEポートも第2のPoEポートも電力供給機器に接続されていないことが探測される)場合、ステップ503が継続して実行される。
【０１３４】
ステップ502:電力供給機器に被給電ポートとして接続されている第1のPoEポートおよび第2のPoEポートの一方である被給電ポートをロックする。
【０１３５】
他方のポートは電力供給ポートとして直接ロックされてもよく、または他方のポートが有効なPDに接続されていることが検出された後に電力供給ポートとしてロックされてもよい。
【０１３６】
PoEデバイス10が、第1のPoEポートが電力供給機器に接続されていることを探測した場合、PoEデバイス10は第1のPoEポートとPDチップとを接続し、第2のPoEポートとPSEチップとを接続し、かつ第1のPoEポートを被給電ポートとしてロックする。PoEデバイス10が、第2のPoEポートが電力供給機器に接続されていることを探測した場合、PoEデバイス10は第2のPoEポートを制御してPDチップに接続し、第1のPoEポートを制御してPSEチップに接続し、かつ第2のPoEポートを被給電ポートとしてロックする。
【０１３７】
第1のPoEポートと第2のPoEポートの両方が電力供給機器に接続されていることが同時に探測される場合、プリセットルールに従って(たとえば、ランダムにまたはポート番号順に)、第1のPoEポートが電力供給機器に接続されていることが探測されること、または第2のPoEポートが電力供給機器に接続されていることが探測されるものと決定され得る。たとえば、プリセットルールは、ポート番号の昇順に基づく。第1のPoEポートと第2のPoEポートの両方が電力供給機器に接続されていることが同時に探測されるとき、プリセットルールに従って、より小さいポート番号を有する第1のPoEポートが電力供給機器に接続されていることが探測されるものと決定される。後続の処理プロセスは、上記で説明した処理プロセスと同じである。
【０１３８】
図4は一例として使用される。作動した後、スイッチ41は、PoEポート401に電力を出力する(たとえば、PoEポート401に検出電圧を送る、PoEポート401を起動する、またはPoEポート401に電力を供給する)。分配されたAP42は被給電デバイスであり、PoEポート402に電力を出力しない。それゆえ、中央AP40は最初に、PoEポート401が電力供給機器に接続されていることを探測する。探測結果に従って、中央AP40(具体的には、ポート適応装置410)はPoEポート401とPDチップ412-2とを接続し、PoEポート402とPSEチップ412-1とを接続し、かつPoEポート401を電力引き込みポートとしてロックする。次いで、PoEポート401は、接続されている電力供給機器(すなわち、スイッチ41)によって供給される電力を受ける。言い換えれば、PDチップ412-2はスイッチ41から電力を引き出して、中央AP40に電力を供給する。中央AP40がPoEポート401を使用することによってスイッチ41から電力を取得した後、プロセッサ、WLANチップ、およびPSEチップ412-1など、中央AP40内の他の構成要素が働き得る。PSEチップ412-1はPoEポート402を検出し、分配されたAP42に電力を供給するためにPoEポート402に電力を供給し得る。このようにして、接続されたデバイスに従って、PoEポート401およびPoEポート402の一方が適応的に被給電ポートとして働き、他方のポートが電力供給ポートとして働く。
【０１３９】
ステップ503:PoEデバイス10に電力を供給する電源があるかどうかを判断する。
【０１４０】
具体的には、PoEデバイス10が、第1のPoEポートが電力供給機器に接続されていることを探測せず、第2のPoEポートが電力供給機器に接続されていることも探測しない場合、PoEデバイス10に電力を供給する電源があるかどうかが判断される。
【０１４１】
PoEデバイス10に電力を供給する電源がない場合、PoEデバイス10は、第1のPoEポートおよび第2のPoEポートが電力供給機器に接続されているかどうかを探測することを継続し、すなわちステップ501に戻る。
【０１４２】
PoEデバイス10に電力を供給する電源がある、すなわち第1の場合にPoEデバイス10に電力を供給する電源がある場合、PoEデバイス10は、PSEチップに接続するために第1のPoEポートおよび第2のPoEポートの一方を、およびPDチップに接続するために他方のポートを選択し得る。PoEデバイス10は、PSEチップに接続するために第1のPoEポートを、およびPDチップに接続するために第2のPoEポートを選択し得、すなわちステップ504を実行する。代替的に、PoEデバイス10は、PDチップに接続するために第1のPoEポートを、およびPSEチップに接続するために第2のPoEポートを選択し得、すなわちステップ507を実行する。
【０１４３】
図4はやはり一例として使用される。中央AP40に電力を供給する電源がない(アダプタ電源またはPoEがない)場合、PoEポート401および402が電力供給機器に接続されていることが探測されない場合、中央AP40は、PoEポート401および402が電力供給機器に接続されているかどうかを探測することを継続するために、ステップ501に戻る。中央AP40に電力を供給する電源がある場合、中央AP40のPSEチップ412-1は働き得、中央AP40は、PSEチップ412-1に接続するためにPoEポート401および402の一方を、およびPDチップ412-2に接続するために他方のポートを選択し得る。
【０１４４】
ステップ504:PoEデバイス10は、第1のPoEポートとPSEチップとを接続し、第2のPoEポートとPDチップとを接続する。
【０１４５】
ステップ505:PoEデバイス10は、第1のPoEポートが有効なPDに接続されているかどうかを検出し、第2のPoEポートが電力供給機器に接続されているかどうかを探測する。
【０１４６】
PoEデバイス10に電力を供給する電源がある場合、PoEデバイス10は、第1のPoEポートが有効なPDに接続されているかどうかを検出し、第2のPoEポートが電力供給機器に接続されているかどうかを探測し得る。
【０１４７】
ステップ506は、いずれかの結果が有効である場合、すなわち、第1のPoEポートが有効なPDに接続されていることが検出されるか、または第2のPoEポートが電力供給機器に接続されていることが探測される場合に実行される(3つの可能な場合が存在する:第1の可能な場合では、第1のPoEポートが有効なPDに接続されていることだけが検出され、第2の可能な場合では、第2のPoEポートが電力供給機器に接続されていることだけが探測され、第3の可能な場合では、第1のPoEポートが有効なPDに接続されていることが検出されかつ第2のPoEポートが電力供給機器に接続されていることが探測される)。
【０１４８】
両結果が無効である、すなわち第1のPoEポートが有効なPDに接続されていないことが検出されかつ第2のPoEポートが電力供給機器に接続されていないことが探測された場合、PoEデバイス10は、第1のPoEポートの状態および第2のPoEポートの状態を変更し、すなわちステップ507を実行する。スイッチング期間が設定される場合、PoEデバイス10は、スイッチング期間に従って探測および検出を実行し、スイッチング期間が満了した後、ポートの状態を変更する。
【０１４９】
ステップ506:PoEデバイス10は、第1のPoEポートを電力供給ポートとしてロックし、かつ/または第2のPoEポートを被給電ポートとしてロックする。
【０１５０】
PoEデバイス10が、第1のPoEポートが有効なPDに接続されていることを検出するかまたは第2のPoEポートが電力供給機器に接続されていることを探測する(前述の3つの可能な場合)とき、PoEデバイス10はPSEチップに接続される第1のPoEポートとPDチップに接続される第2のPoEポートとを保持し、PoEデバイス10は第1のPoEポートを電力供給ポートとしてロックしかつ/または第2のPoEポートを被給電ポートとしてロックする(すなわち、第1のPoEポートを電力供給ポートとしてロックするか、または第2のPoEポートを被給電ポートとしてロックするか、または第1のPoEポートを電力供給ポートとしてロックしかつ第2のPoEポートを被給電ポートとしてロックする)。ポートがロックされた後、ポートの状態はもはや変更され得ない。
【０１５１】
第1のPoEポートを電力供給ポートとしてロックするかまたは第2のPoEポートを被給電ポートとしてロックした後、PoEデバイス10はスイッチング期間の計時を停止し得る。
【０１５２】
ステップ507:PoEデバイス10は第1のPoEポートとPDチップとを接続し、第2のPoEポートとPSEチップとを接続する。
【０１５３】
ステップ508:PoEデバイス10は、第1のPoEポートが電力供給機器に接続されているかどうかを探測し、第2のPoEポートが有効なPDに接続されているかどうかを検出する。
【０１５４】
ステップ509は、いずれかの結果が有効である、すなわち第1のPoEポートが電力供給機器に接続されていることが探測されるか、または第2のPoEポートが有効なPDに接続されていることが検出される場合に実行される(3つの可能な場合が存在する:第1の可能な場合では、第1のPoEポートが電力供給機器に接続されていることだけが探測され、第2の可能な場合では、第2のPoEポートが有効なPDに接続されていることだけが検出され、第3の可能な場合では、第1のPoEポートが電力供給機器に接続されていることが探測されかつ第2のPoEポートが有効なPDに接続されていることが検出される)。
【０１５５】
両結果が無効である、すなわち第1のPoEポートが電力供給機器に接続されていないことが探測されかつ第2のPoEポートが有効なPDに接続されていないことが検出された場合、PoEデバイス10は、第1のPoEポートの状態および第2のPoEポートの状態を変更し、すなわちステップ504を実行する。スイッチング期間が設定される場合、PoEデバイス10は、スイッチング期間に従って探測および検出を実行し、スイッチング期間が満了した後、変更を実行する。
【０１５６】
ステップ509:PoEデバイス10は、第1のPoEポートを被給電ポートとしてロックし、かつ/または第2のPoEポートを電力供給ポートとしてロックする。
【０１５７】
本発明のこの実施形態で提供されるポート適応方法によれば、PoEデバイスが別のデバイスと相互接続されるとき、相互接続されたデバイスに従って、ポートグループ内の2つのPoEポートの一方が適応的に電力供給ポートになりかつ他方のポートが電力引き込みポートになり得、それによりデバイスの相互接続の精度を確実にするためにポート間を手動で区別する必要はない。
【０１５８】
本発明の実施形態では、PoEは、どのようにしてPoEデバイス内の2つのPoEポートの一方が適応的に電力供給ポートになり、他方のポートが電力引き込みポートになるかを説明するために、一例として使用される。本発明はまた、パワーオーバーデータライン(Power over Data lines、PoDL)など、同様の電力供給技術が使用されるシナリオに対して適用可能である。PoDLシナリオでは、本発明の実施形態に基づいて当業者によって異なるプロトコルに対して作成され得る、適応的な変更形態、変形形態、または置換もまた、本発明の保護範囲内に入るものとする。
【０１５９】
方法実施形態のステップの全部または一部が、関連するハードウェアを教示するプログラムによって実装され得ることは、当業者には理解されよう。対応するプログラムは、コンピュータ可読記憶媒体内に記憶され得る。記憶媒体は、ランダムアクセスメモリ、リードオンリーメモリ、フラッシュメモリ、ハードディスク、ソリッドステートドライブ、光ディスクなどであり得る。
【０１６０】
前述の説明は、本発明の例示的な特定の実装形態にすぎず、本発明の保護範囲を限定することを意図するものではない。本発明において開示される技術範囲内で当業者によって容易に想到される任意の変形形態または置換は、本発明の保護範囲内に入るものとする。それゆえ、本発明の保護範囲は、特許請求の範囲の保護範囲に従うものとする。
【符号の説明】
【０１６１】
10  パワーオーバーイーサネット（登録商標）(PoE)デバイス
40  中央AP
41  スイッチ
42  分配されたAP
100  ポート適応装置
101  PoEポートグループ
101A  PoEポート
101B  PoEポート
101-1  電力供給機器(PSE)チップ
101-2  被給電デバイス(PD)チップ
102  適応モジュール
103A  PoEポート
103B  PoEポート
103-1  PSEチップ
103-2  PDチップ
104  適応モジュール
211A  電圧検出器
211B  電圧検出器
212  スイッチングスイッチ
213  コントローラ
401  PoEポート
402  PoEポート
410  ポート適応装置
412-1  PSEチップ
412-2  PDチップ
【図１】
2019049972.tif 000003
【図２】
2019049972.tif 000004
【図３】
2019049972.tif 000005
【図４】
2019049972.tif 000006
【図５Ａ】
2019049972.tif 000007
【図５Ｂ】
2019049972.tif 000008
【外国語明細書】
2019049972000001.pdf